(57)【要約】【課題】アダプタの取り付けを可能とした電子機器のアダプタ取着用の取り付け具を提供する。【解決手段】アダプタ取着用の取り付け具２０は、基板２２と、粘着テープ２４と、アダプタ用取り付け部２６とを備えている。基板２２は、環板状に形成され、その内径が対物レンズ１８の外径よりも大きい中心孔２２０２を有している。基板２２は、例えば、磁石によって吸着される鉄などの磁性体により形成されている。粘着テープ２４は、基板２２の厚さ方向の両面のうちの一方の面２２０４に設けられ、粘着テープ２４には、不図示の剥離紙が剥離可能に取着されている。アダプタ用取り付け部２６は、本実施例では、基板２２の両面のうちの他方の面２２０６に設けられ、他方の面２２０６の全域に形成された平坦面で構成されている。【選択図】        図１
2006238387.tif 000002
【特許請求の範囲】
【請求項１】
撮像装置が組み込まれ該撮像装置の撮影光学系を構成する対物レンズが筐体の表面に設けられた電子機器のアダプタ取着用の取り付け具であって、
前記取り付け具は、内径が前記対物レンズの外径よりも大きい中心孔を有する基板と、前記基板の厚さ方向の両面のうちの一方の面に設けられた粘着テープと、前記基板の両面のうちの他方の面に設けられた前記アダプタ用取り付け部とを備える、
ことを特徴とする電子機器のアダプタ取着用の取り付け具。
【請求項２】
前記基板は磁性体により環板状に形成され、前記アダプタ用取り付け部は、前記他方の面の全域に形成された平坦面で構成されていることを特徴とする請求項１記載の電子機器のアダプタ取着用の取り付け具。
【請求項３】
前記アダプタ用取り付け部は、前記基板の両側からそれぞれ屈曲された一対の係止片により形成されていることを特徴とする請求項１記載の電子機器のアダプタ取着用の取り付け具。
【請求項４】
前記アダプタ用取り付け部は、前記基板の両面のうちの他方の面の外周から突出する筒部と、前記筒部の先端の互いに対向する箇所に前記筒部の半径方向内方に突出する係止壁とで構成されていることを特徴とする請求項１記載の電子機器のアダプタ取着用の取り付け具。
【請求項５】
前記電子機器は携帯電話機であることを特徴とする請求項１記載の電子機器のアダプタ取着用の取り付け具。
【請求項６】
本体と、蓋体とがヒンジを介して開閉可能に連結され、前記蓋体または本体の外面に撮影光学系を構成する対物レンズが設けられた撮像装置付き携帯電話機のアダプタ取着用の取り付け具であって、
前記取り付け具は基板を有し、
前記基板は、前記ヒンジと蓋体との間の隙間に係止可能な係止爪と、前記アダプタが取着されるアダプタ用取り付け部とを有する、
ことを特徴とする撮像装置付き携帯電話機のアダプタ取着用の取り付け具。
【発明の詳細な説明】
【技術分野】
【０００１】
本発明は電子機器のアダプタ取着用の取り付け具および撮像装置付き携帯電話機のアダプタ取着用の取り付け具に関する。
【背景技術】
【０００２】
従来、一眼レフカメラ形式のデジタルスチルカメラなどのような撮像装置では、撮影光学系を構成する対物レンズの前方に、フィルタや望遠レンズなどのような各種のアダプタを取り付けるための取り付け部が設けられている。
一方、一眼レフカメラ形式のデジタルスチルカメラなどのような撮像装置を除いた電子機器に撮像装置が設けられる場合、例えば、撮像装置付き携帯電話機では、撮影光学系を構成する対物レンズの前方に、フィルタなどのような各種のアダプタを取り付けるための取り付け部が設けられていない（特許文献１参照）。
【特許文献１】特開２００４−２７４５１１号公報
【発明の開示】
【発明が解決しようとする課題】
【０００３】
そのため、撮像装置付き携帯電話機などのような電子機器において、各種のアダプタを取り付けてその撮像装置の使用範囲や利用範囲を拡大することができない不具合があった。
本発明は、このような事情に鑑みなされたもので、その目的は、アダプタの取り付けを可能とした電子機器のアダプタ取着用の取り付け具および撮像装置付き携帯電話機のアダプタ取着用の取り付け具を提供することにある。
【課題を解決するための手段】
【０００４】
上記目的を達成するために本発明は、撮像装置が組み込まれ該撮像装置の撮影光学系を構成する対物レンズが筐体の表面に設けられた電子機器のアダプタ取着用の取り付け具であって、前記取り付け具は、内径が前記対物レンズの外径よりも大きい中心孔を有する基板と、前記基板の厚さ方向の両面のうちの一方の面に設けられた粘着テープと、前記基板の両面のうちの他方の面に設けられた前記アダプタ用取り付け部とを備えることを特徴とする。
また、本発明は、本体と、蓋体とがヒンジを介して開閉可能に連結され、前記蓋体または本体の外面に撮影光学系を構成する対物レンズが設けられた撮像装置付き携帯電話機のアダプタ取着用の取り付け具であって、前記取り付け具は基板を有し、前記基板は、前記ヒンジと蓋体との間の隙間に係止可能な係止爪と、前記アダプタが取着されるアダプタ用取り付け部とを有することを特徴とする。
【発明の効果】
【０００５】
本発明のアダプタ取着用の取り付け具を用いれば、各種のアダプタを撮像装置付きの電子機器や携帯電話機に取り付けることが可能となり、撮像装置付の電子機器や携帯電話機の使用範囲や利用範囲を拡大でき、それら電子機器や携帯電話機の実用的価値を格段と高めることができる。
【発明を実施するための最良の形態】
【０００６】
本発明では、取り付け具を、内径が前記対物レンズの外径よりも大きい中心孔を有する基板と、基板の厚さ方向の両面のうちの一方の面に設けられた粘着テープと、基板の両面のうちの他方の面に設けられたアダプタ用取り付け部とで構成することによって上記目的を達成した。
また、本発明では、取り付け具を、ヒンジと蓋体との間の隙間に係止可能な係止爪と、アダプタが取着されるアダプタ用取り付け部とを有する基板を設けることで上記目的を達成した。
【実施例１】
【０００７】
以下、本発明による電子機器のアダプタ取着用の取り付け具の実施例を図面に基づいて詳細に説明する。
本実施例では電子機器が撮像装置付きの携帯電話機であり、アダプタが３Ｄ画像撮影用（立体画像撮影用）の３Ｄ撮影用アダプタである場合について説明する。
図１は携帯電話機１０、アダプタ取着用の取り付け具２０、３Ｄ撮影用アダプタ３０の斜視図、図２は携帯電話機１０に取り付け具２０を介して３Ｄ撮影用アダプタ３０が取着された状態を示す斜視図である。
【０００８】
携帯電話機１０は、互いに同じ輪郭を有する矩形板状に形成された本体１２と蓋体１４を有している。
本体１２は本体側筐体１２Ａを有し、蓋体１４は蓋体側筐体１４Ａを有し、蓋体側筐体１４Ａは本体側筐体１２Ａにヒンジ１６を介して開閉可能に連結されている。
本体側筐体１２が蓋体側筐体１４に臨む内面には、数字や記号を入力するための複数のキースイッチ、様々な操作を行うための複数の操作スイッチ、撮像を行うためのシャッタースイッチなどが設けられている。
蓋体側筐体１４Ａが本体側筐体１２Ａに臨む内面には、文字や画像を表示するためのディスプレイの表示面が設けられている。
また、蓋体側筐体１４Ａには撮像装置が組み込まれている。
撮像装置は、対物レンズ１８を含む撮影光学系と、前記撮影光学系によって導かれた被写体像を撮像して撮像信号を生成する撮像素子などで構成されている。
前記撮像信号は所定の信号処理回路によって処理されることで画像データに変換され、前記ディスプレイの表示面に表示され、また、携帯電話機１０のメモリに記録される。また、携帯電話機１０のメモリ（内部メモリあるいは装脱可能なメモリカード）に記録されている画像データは前記信号処理回路を介して読み出され前記ディスプレイの表示面に表示される。
対物レンズ１８は、蓋体側筐体１４Ａが本体側筐体１２Ａと反対側に臨む外面（表面）１４０２に設けられている。
【０００９】
３Ｄ撮影用アダプタ３０は、カバー片３２と、カバー片３２に設けられた第１反射ミラー３４と第２反射ミラー３６とを含んで構成されている。
カバー片３２は、対物レンズ１８に対応する大きさの矩形の孔３２０１が形成され３Ｄ撮影用アダプタ３０の使用時に蓋体側筐体１４Ａの外面１４０２に対面される細長板状の第１片体３２０２と、第１片体３２０２の長手方向の端部に孔３２０１と対向するように設けられた第２片体３２０４と、第１片体３２０２および第２片体３２０４の両側をそれぞれ接続する一対の第３片体３２０６とを備えている。
第１反射ミラー３４は、第２片体３２０４が孔３２０１に臨む面に取着され、第２反射ミラー３６は、第１片体３２０２が第２片体３２０４に臨む面に取着され、第２反射ミラー３６で捉えた被写体像を第１反射ミラー３４で反射させて孔３２０１に向けて導くように構成されている。
３Ｄ撮影用アダプタ３０は、携帯電話機１０によって撮像される１つの画面の中に互いに視差のある一対の立体画像（被写体像）を取り込むためのものであり、従来公知の技術であり、例えば特開平１１−４６３７３号公報に開示されている。
簡単に説明すると、３Ｄ撮影用アダプタ３０によって取り込まれる一対の立体画像のうち、一方の立体画像は、第１反射ミラー３４および第２反射ミラー３６の間に形成される隙間から第１反射ミラー３４および第２反射ミラー３６に反射されることなく孔３２０１に向けて導かれる。
また、３Ｄ撮影用アダプタ３０によって取り込まれる一対の立体画像のうち、他方の立体画像は、上述したように第２ミラー３６と第１ミラー３４によって反射され孔３２０１に向けて導かれる。このように２つのミラー３４、３６を経ることで他方の立体画像は前記一方の立体画像に対して視差を生じることになる。
そして、このような視差を有する一対の立体画像を携帯電話機１０の撮像装置に導くことで３Ｄ画像を得るようにしている。
【００１０】
第１片体３２０２が第２片体３２０４に臨む面とは反対側の面で孔３２０１の周囲には、凹部３２１０が均一の深さで形成されている。
この凹部３２１０には、環板状のマグネット３８が取着され、マグネット３８には孔３２０１に合致する矩形の孔３８０２が形成されている。
また、マグネット３８の表面には位置決め用突起３８５０が２つ突出形成されている。
【００１１】
アダプタ取着用の取り付け具２０は、基板２２と、粘着テープ２４と、アダプタ用取り付け部２６とを備えている。
基板２２は、環板状に形成され、その内径が対物レンズ１８の外径よりも大きい中心孔２２０２を有している。
基板２２は、例えば、磁石によって吸着される鉄などの磁性体により形成されている。
粘着テープ２４は、基板２２の厚さ方向の両面のうちの一方の面２２０４に設けられ、粘着テープ２４には、不図示の剥離紙が剥離可能に取着されている。
アダプタ用取り付け部２６は、本実施例では、基板２２の両面のうちの他方の面２２０６に設けられ、他方の面２２０６の全域に形成された平坦面で構成されている。
他方の面２２０６には、位置決め用突起３８５０が係合可能な２つの位置決め用凹部２２５０が設けられている。なお、これら位置決め用突起３８５０や位置決め用凹部２２５０は、アダプタ用取り付け部２６に対する３Ｄ撮影用アダプタ３０の向きや姿勢を決定し、安定させるものであり、凸部と凹部を逆にしてもよく、従来公知の様々な位置決め構造が採用可能である。
【００１２】
次に、アダプタ取着用の取り付け具２０を用いた３Ｄ撮影用アダプタ３０の使用方法について説明する。
まず、アダプタ取着用の取り付け具２０を撮像装置付き携帯電話機１０に取着する。
すなわち、剥離紙を剥がし、対物レンズ１８に中心孔２２０２を臨ませ、中心孔２２０２の内側に中心孔２２０２と同軸上に対物レンズ１８が位置するように位置や向きを合わせ、粘着テープ２４を対物レンズ１８の周囲の蓋体側筐体１４Ａの外面１４０２に取着する。
これにより、アダプタ取着用の取り付け具２０が蓋体側筐体１４Ａの外面１４０２に取り付けられる。
次に、孔３２０１および孔３８０２の中心を中心孔２２０２の中心に合致させ、第１片体３２０２を蓋体側筐体１４Ａの外面１４０２に対面させ、マグネット３８の厚さ方向の一方の面を基板２２の他方の面２２０６に接触させる。
これにより、磁力によって基板２２とマグネット３８とが吸着され、３Ｄ撮影用アダプタ３０がアダプタ取着用の取り付け具２０を介して撮像装置付き携帯電話機１０に取り付けられる。
本実施例では、位置決め用突起３８５０が位置決め用凹部２２５０に係合し、アダプタ用取り付け部２６に対する３Ｄ撮影用アダプタ３０の向きや姿勢が簡単に決定され、安定して保持される。
したがって、アダプタ取着用の取り付け具２０によれば、撮像装置付き携帯電話機１０において３Ｄ撮影用アダプタ３０を使用することができ、３Ｄ撮影が可能となる。
なお、３Ｄ撮影時の映像は、ディスプレイが３Ｄ用に形成された従来公知の３Ｄ用ディスプレイであれば、このディスプレイによっても無論見ることができる。
【００１３】
次に、実施例２について説明する。
図３は実施例２における携帯電話機１０、アダプタ取着用の取り付け具４０、３Ｄ撮影用アダプタ３０の斜視図である。
携帯電話機１０の構成は実施例１と同様であるため、その説明を省略する。
３Ｄ撮影用アダプタ３０の構成は、第１片体３２０２が第２片体３２０４に臨む面とは反対側の面の部分の形状が異なるのみで、他の部分の構成は実施例１と同様である。
実施例２では、第１片体３２０２が第２片体３２０４に臨む面とは反対側の面で矩形の孔３２０１の周囲は、平坦面３２２０として形成されている。
そして、孔３２０１の両側の平坦面３２２０箇所に一対の外向きの係止片３２２２が互いに平行して延在するように設けられている。
一対の係止片３２２２は、第１片体３２０２と一体に形成されている。
【００１４】
アダプタ取着用の取り付け具４０は、基板４２と、粘着テープ４４と、アダプタ用取り付け部４６とを備えている。
基板４２は矩形板状に形成され、その中央部に、内径が対物レンズ１８の外径よりも大きい中心孔４２０２を有している。
基板４２は、例えば、合成樹脂製あるいは金属製である。
粘着テープ４４は、基板４２の厚さ方向の両面のうちの一方の面４２０４に設けられ、粘着テープ４４には、不図示の剥離紙が剥離可能に取着されている。
アダプタ用取り付け部４６は、本実施例では、基板４２の両面のうちの他方の面４２０６に設けられ、基板４２の両側部分を他方の面４２０６の前方に屈曲させ一対の外向きの係止片３２２２に係止可能な一対の内向きの係止片４２１０で構成されている。
一対の内向きの係止片４２１０は、互いに平行して延在し、それら一対の内向きの係止片４２１０の延在方向の一方の端部は開放端４２１２として形成され、他方の端部は閉塞部４２１４として形成されている。
【００１５】
次に、実施例２のアダプタ取着用の取り付け具４０を用いた３Ｄ撮影用アダプタ３０の使用方法について説明する。
まず、アダプタ取着用の取り付け具４０を撮像装置付き携帯電話機１０に取着する。
すなわち、剥離紙を剥がし、対物レンズ１８に中心孔４２０２を臨ませ、中心孔４２０２の内側に中心孔４２０２と同軸上に対物レンズ１８が位置するように位置を合わせ、粘着テープ４４を対物レンズ１８の周囲の蓋体側筐体１４Ａの外面１４０２に取着する。
これにより、アダプタ取着用の取り付け具４０が蓋体側筐体１４Ａの外面１４０２に取り付けられる。
次に、一対の外向きの係止片３２２２を開放端４２１２に合致させ、第１片体３２０２を蓋体側筐体１４Ａの外面１４０２に対面させた状態で、一対の外向きの係止片３２２２を開放端４２１２から一対の内向きの係止片４２１０の閉塞端４２１４に向けて挿入する。
一対の外向きの係止片３２２２の端部が一対の内向きの係止片４２１０の閉塞端４２１４に当接することで、３Ｄ撮影用アダプタ３０の撮像装置付き携帯電話機１０への取り付けが終了し、この状態で孔３２０１の中心と中心孔４２０２の中心とが合致する。
したがって、アダプタ取着用の取り付け具４０によれば、実施例１と同様に、撮像装置付き携帯電話機１０において３Ｄ撮影用アダプタ３０を使用することができ、３Ｄ撮影が可能となる。
【００１６】
次に、実施例３について説明する。
図４は実施例３における携帯電話機１０、アダプタ取着用の取り付け具５０、３Ｄ撮影用アダプタ３０の斜視図、図５は携帯電話機１０に取り付け具５０を介して３Ｄ撮影用アダプタ３０が取着された状態を示す断面図である。
携帯電話機１０の構成は実施例１と同様であるため、その説明を省略する。
図４に示すように、３Ｄ撮影用アダプタ３０の構成は、第１片体３２０２が第２片体３２０４に臨む面とは反対側の面の部分の形状が異なるのみで、他の部分の構成は実施例１と同様である。
実施例３では、実施例２と同様に、第１片体３２０２が第２片体３２０４に臨む面とは反対側の面で矩形の孔３２０１の周囲は平坦面３２２０として形成されている。
そして、孔３２０１の周囲の平坦面３２２０箇所から筒部３２３０が突出形成されている。
筒部３２３０の先端の対向する箇所には、図４、図５に示すように、一対の係止爪３２３２が筒部３２３０と一体に設けられている。
一対の係止爪３２３２は、例えば、それぞれ弾性変形部を介して筒部３２３０に連結されるとともに、各弾性変形部には筒部３２３０の半径方向外方にそれぞれ摘み３２３４が突出形成されている。
そして、一対の摘み３２３４を指により挟み込むと、一対の係止爪３２３２が筒部３２３０の半径方向内方に変位し、指を離すと、一対の係止爪３２３２が筒部３２３０の半径方向外方に変位し元の位置に復帰するように形成されている。
【００１７】
アダプタ取着用の取り付け具５０は、基板５２と、粘着テープ５４と、アダプタ用取り付け部５６とを備えている。
基板５２は環板状に形成され、その中央部に、内径が対物レンズ１８の外径よりも大きい中心孔５２０２を有している。
基板５２は、例えば、合成樹脂製あるいは金属製である。
粘着テープ５４は、基板５２の厚さ方向の両面のうちの一方の面５２０４に設けられ、粘着テープ５４には、不図示の剥離紙が剥離可能に取着されている。
アダプタ用取り付け部５６は、本実施例では、基板５２の両面のうちの他方の面５２０６の外周から突出する筒部５６１０と、筒部５６１０の先端の互いに対向する箇所に筒部５６１０の半径方向内方に突出する係止壁５６１２とで構成されている。
筒部５６１０の内周面は、筒部５６１０の外周面よりも大きな寸法で形成され、筒部５６１０の内側に筒部３２３０が挿入されるように形成されている。
【００１８】
次に、実施例３のアダプタ取着用の取り付け具５０を用いた３Ｄ撮影用アダプタ３０の使用方法について説明する。
まず、アダプタ取着用の取り付け具５０を撮像装置付き携帯電話機１０に取着する。
すなわち、剥離紙を剥がし、対物レンズ１８に中心孔５２０２を臨ませ、中心孔５２０２の内側に中心孔５２０２と同軸上に対物レンズ１８が位置するように位置を合わせ、粘着テープ５４を対物レンズ１８の周囲の蓋体側筐体１４Ａの外面１４０２に取着する。
これにより、アダプタ取着用の取り付け具５０が蓋体側筐体１４Ａの外面１４０２に取り付けられる。
次に、３Ｄ撮影用アダプタ３０の筒部３２３０をアダプタ取着用の取り付け具５０に臨ませ、一対の摘み３２３４を指により挟み込み筒部３２３０をアダプタ取着用の取り付け具５０の筒部５６１０の内側に挿入する。
そして、一対の摘み３２３４から指を離す。
これにより、一対の係止爪３２３２が元の位置に復帰し、一対の係止爪３２３２が筒部３２３０の半径方向外方に変位し、係止壁５６１０内面で筒部５６１０の内周に係止する。
これにより、３Ｄ撮影用アダプタ３０の撮像装置付き携帯電話機１０への取り付けが終了し、この状態で孔３２０１と中心孔５２０２とが合致する。
したがって、アダプタ取着用の取り付け具４０によれば、実施例１と同様に、撮像装置付き携帯電話機１０において３Ｄ撮影用アダプタ３０を使用することができ、３Ｄ撮影が可能となる。
【００１９】
次に、実施例４について説明する。
図６は実施例４における携帯電話機１０、アダプタ取着用の取り付け具６０、３Ｄ撮影用アダプタ３０の斜視図、図７は携帯電話機１０に取り付け具５０を介して３Ｄ撮影用アダプタ３０が取着された状態を示す斜視図である。
携帯電話機１０の構成は実施例１と同様であるが、より詳細に説明すると、図６に示すように、ヒンジ１６と、蓋体側筐体１４Ａの基部との間に、携帯電話機１０の幅方向に延在する一対の隙間Ｓが介在している。
３Ｄ撮影用アダプタ３０の構成は、第１片体３２０２が第２片体３２０４に臨む面とは反対側の面の部分の形状が異なるのみで、他の部分の構成は実施例１と同様である。
実施例４では、第１片体３２０２が第２片体３２０４に臨む面とは反対側の面は平坦面で形成され、その平坦面に実施例１乃至３と同様の矩形の孔（不図示）が形成されている。
また、実施例４では、第１片体３２０２の端部と第２片体３２０４の端部とを接続する端面３２４０にねじ孔３２４２が２つ形成されている。
【００２０】
アダプタ取着用の取り付け具６０は基板６２を有している。
基板６２は金属または剛性樹脂製である。
基板６２は、ヒンジ１６と蓋体側筐体１４Ａの基部との間の隙間Ｓに係止可能な一対の係止爪６２０２と、前記一対の係止爪６２０２を接続し２つのねじ挿通孔６２０４が形成された取り付け部６２０６とを備えている。
一対の係止爪６２０２は、その長さ方向の中間部において屈曲されている。
【００２１】
次に、実施例４のアダプタ取着用の取り付け具６０を用いた３Ｄ撮影用アダプタ３０の使用方法について説明する。
まず、アダプタ取着用の取り付け具６０を３Ｄ撮影用アダプタ３０に取り付ける。
すなわち、アダプタ取着用の取り付け具６０の取り付け部６２０６を、３Ｄ撮影用アダプタ３０の端面３２４０に合わせ、２本のねじ６４をそれぞれねじ挿通孔６２０４に挿通させ、ねじ孔３２４２に螺合する。
これにより、図７に示すように、アダプタ取着用の取り付け具６０が３Ｄ撮影用アダプタ３０に取り付けられ、アダプタ取着用の取り付け具６０が３Ｄ撮影用アダプタ３０に一体化される。
次に、アダプタ取着用の取り付け具６０の一対の係止爪６２０２を、ヒンジ１６と蓋体側筐体１４Ａの基部との間の隙間Ｓに係止させる。
これにより、３Ｄ撮影用アダプタ３０の撮像装置付き携帯電話機１０への取り付けが終了し、この状態で対物レンズ１８の中心と不図示の矩形孔の中心とが合致する。
したがって、アダプタ取着用の取り付け具６０によれば、実施例１と同様に、撮像装置付き携帯電話機１０において３Ｄ撮影用アダプタ３０を使用することができ、３Ｄ撮影が可能となる。
なお、本実施例では、３Ｄ撮影用アダプタ３０の使用時、すなわち、撮像装置の使用時に本体１２に対して蓋体１４を開いて使用するが、この場合、本体１２に対して蓋体１４を開くと、本体側筐体１２Ａの基部１２Ｂと蓋体側筐体１４Ａの基部とによりアダプタ取着用の取り付け具６０が挟持されるように構成されており、３Ｄ撮影用アダプタ３０がより安定して保持される。
【００２２】
なお、実施例では、アダプタが３Ｄ撮影用アダプタ３０である場合について説明したが、本発明はこれに限定されるものではなく、アダプタとしては、様々なフィルタ、テレ（ワイド）コンバージョンレンズ、あるいは、光学的な特殊効果を与えるアダプタなどデジタルスチルカメラなどに使用される従来公知の様々なアダプタを用いることができることは無論のことであり、用いられるアダプタの用途に応じて対物レンズ１８に対するアダプタの姿勢が適宜決定される。
また、実施例では、アダプタ取着用の取り付け具が取着される電子機器が撮像装置付きの携帯電話機である場合について説明したが、本発明の取り付け具が取着される電子機器は、例えば、撮像装置付きのＰＤＡ（Ｐｅｒｓｏｎａｌ  Ｄｉｇｉｔａｌ  Ａｓｓｉｓｔａｎｔ）や撮像装置付きのノート型パーソナルコンピュータなど撮像装置が組み込まれた電子機器であればよいことは無論である。
また、アダプタ用取り付け部の構成は、実施例の構成に限定されず、従来公知の様々な結合構造、脱着構造が採用可能である。
また、本発明では、折り畳み型カメラ付き携帯電話機に、アダプタ取着用の取り付け具を貼り付けるように構成した場合について説明したが、携帯電話機の筐体に最初からこのようなアダプタ取着用の取り付け具（基板および取り付け部）と同様な構造を設けるようにしてもよいことは無論のことである。
また、本発明をレンズに対しアダプタを仮装着して、その後、折り畳み状態から開いた状態にすると、しっかりと固定されるように構成してもよい。この場合も、アダプタ取着用の取り付け具を貼り付けるように構成した場合と、携帯電話機の筐体に最初からこのようなアダプタ取着用の取り付け具（基板および取り付け部）と同様な構造を設けるようにした場合の双方を含む。すなわち、レンズ近傍の係合部または嵌合部（あるいは取り付け部）により、レンズの光軸に対してアダプタを位置合わせし、携帯電話機のヒンジ部に取り付け部の係合部あるいはアダプタの係合部を差し込み、携帯電話機を開いた状態にしたときの付勢力（あるいは開いた状態とする保持力）によりアダプタを固定するようにしたアダプタ取り付け構造としてもよい。
【図面の簡単な説明】
【００２３】
【図１】実施例１における携帯電話機１０、アダプタ取着用の取り付け具２０、３Ｄ撮影用アダプタ３０の斜視図である。
【図２】携帯電話機１０に取り付け具２０を介して３Ｄ撮影用アダプタ３０が取着された状態を示す斜視図である。
【図３】実施例２における携帯電話機１０、アダプタ取着用の取り付け具４０、３Ｄ撮影用アダプタ３０の斜視図である。
【図４】実施例３における携帯電話機１０、アダプタ取着用の取り付け具５０、３Ｄ撮影用アダプタ３０の斜視図である。
【図５】携帯電話機１０に取り付け具５０を介して３Ｄ撮影用アダプタ３０が取着された状態を示す断面図である。
【図６】実施例４における携帯電話機１０、アダプタ取着用の取り付け具６０、３Ｄ撮影用アダプタ３０の斜視図である。
【図７】携帯電話機１０に取り付け具５０を介して３Ｄ撮影用アダプタ３０が取着された状態を示す斜視図である。
【符号の説明】
【００２４】
１８……対物レンズ、１４Ａ……蓋体側筐体、１４０２……外面、３０……３Ｄ撮影用アダプタ、２０、４０、５０……電子機器のアダプタ取着用の取り付け具、２２０２、４２０２、５２０２……中心孔、２２、４２、５２……基板、２４、４４、５４……粘着テープ。
【図１】
2006238387.tif 000003
【図２】
2006238387.tif 000004
【図３】
2006238387.tif 000005
【図４】
2006238387.tif 000006
【図５】
2006238387.tif 000007
【図６】
2006238387.tif 000008
【図７】
2006238387.tif 000009